(57)【要約】【課題】  イベント情報を配信するイベント情報送信装置、およびイベント情報送受信システムにおいて、複数のイベント情報を送信する場合であっても、そのイベント情報を解りやすく使用者に伝えられるようにする。【解決手段】  ホストサーバは、イベント情報を検索するための検索条件を含む情報要求信号を受信すると、イベント情報送信処理を実行し、イベント情報データベースに記憶された複数のイベント情報の中から検索条件に合致したイベント情報を選択し（Ｓ１１０）、選択されたイベント情報をイベント会場毎にイベントの開催順に整列させた整列データを生成し（Ｓ１２０）、生成されたデータを情報要求信号の送信元の携帯電話機に対して送信させる（Ｓ１４０）。従って、このデータを受けた携帯電話機では、解りやすく各イベント情報を報知することができる。【選択図】  図２
2006323658.tif 000002
【特許請求の範囲】
【請求項１】
外部装置との間で通信を行うための通信手段と、
イベント内容、イベントが開催されるイベント会場、およびイベントの開催日時の情報を含むイベント情報を複数記憶可能なイベント情報記憶手段と、
前記通信手段を介して、イベント情報を検索するための検索条件を含む情報要求信号を受信すると、前記イベント情報記憶手段に記憶された複数のイベント情報の中から前記検索条件に合致したイベント情報を選択する選択手段と、
前記選択手段により選択されたイベント情報を前記イベント会場毎にイベントの開催順に整列させた整列データを生成する生成手段と、
前記通信手段を介して、前記生成手段により最終的に生成されたデータを前記情報要求信号の送信元の外部装置に対して送信させる第１送信制御手段と、
を備えたことを特徴とするイベント情報送信装置。
【請求項２】
前記通信手段を介して、イベント情報を更新する更新要求信号を受信すると、該更新要求信号の内容に基づいて、前記イベント情報記憶手段に記憶されたイベント情報を更新する記憶制御手段と、
前記イベント情報記憶手段に記憶されたイベント情報毎にデータの送信先となる外部装置を対応させて記憶する送信先記憶手段と、
前記記憶制御手段により前記イベント情報記憶手段に記憶されたイベント情報が更新されると、前記送信先記憶手段に記憶された外部装置のうち、前記更新されたイベント情報に対応する外部装置に対して前記更新されたイベント情報を送信する第２送信制御手段と、
を備えたことを特徴とする請求項１に記載のイベント情報送信装置。
【請求項３】
前記生成手段は、前記整列データとして、画像データを生成することを特徴とする請求項１または請求項２に記載のイベント情報送信装置。
【請求項４】
前記生成手段は、互いに交差する座標軸にて形成される仮想平面領域を各座標軸に沿って複数に分割することによりマトリクスを形成し、前記座標軸のうちの第１座標軸には前記イベント会場を表す第１パラメータを関連付けると共に、第２座標軸には前記イベントの開催日時を表す第２パラメータを関連付け、さらに、前記マトリクスを構成する各領域には、前記イベント内容を夫々配置することにより、前記各座標軸に関連付けた２種類のパラメータに基づき前記マトリクスを構成する任意の領域を特定して、該領域に配置されたイベント情報を検索できるように設定された画像データを生成すること
を特徴とする請求項３に記載のイベント情報送信装置。
【請求項５】
イベント内容、イベントが開催されるイベント会場、およびイベントの開催日時の情報を含むイベント情報を複数記憶可能なイベント情報記憶手段と、
自己を識別するための識別信号を無線送信可能な端末装置毎に、前記識別信号およびこの端末装置の通信用アドレスを対応させて記憶可能な識別記憶手段と、
特定のイベント会場内またはその周辺に設けられ、前記端末装置から前記識別信号を受信することにより、前記端末装置が前記イベント会場内またはその周辺の領域を表す特定領域内に位置することを検出する検出手段と、
前記検出手段により受信された識別情報、および前記識別記憶手段に記憶された識別信号を照合することにより、前記特定領域内に位置する端末装置を特定する特定手段と、
前記特定手段により端末装置が特定されると、前記イベント情報記憶手段に記憶されたイベント情報の中から前記特定領域に対応するイベント会場におけるイベント情報を抽出する抽出手段と、
前記抽出手段により選択されたイベント情報を前記イベント会場毎にイベントの開催順に整列させた整列データを生成する生成手段と、
前記端末装置との間で無線通信可能な通信手段を介して、前記特定手段により特定された端末装置の通信用アドレスに対して、前記生成手段により最終的に生成されたデータを送信する第３送信制御手段と、
を備えたことを特徴とするイベント情報送信システム。
【発明の詳細な説明】
【技術分野】
【０００１】
本発明は、イベントが開催される会場およびイベントの開催日時を対応させたイベント情報を配信するイベント情報送信装置、およびイベント情報送受信システムに関する。
【背景技術】
【０００２】
従来より、この種のイベント情報配信装置として、使用者にとって興味があるイベント情報のみを配信するために、複数のイベント情報が記憶された記憶手段から、使用者により入力された条件に合致するイベント情報を選択し、この選択されたイベント情報を使用者に送信するよう構成されたものが知られている（例えば特許文献１参照）。
【特許文献１】特開２００４−３１８６５９号公報
【発明の開示】
【発明が解決しようとする課題】
【０００３】
ここで、上記イベント情報配信装置においては、使用者により入力された条件に基づいて複数のイベント情報が選択された場合には、複数のイベント情報を使用者に対して送信することになる。このとき、上記イベント情報配信装置では、複数のイベント情報を送信する場合において、これらのイベント情報をどのように処理をするのかということについては不明であるため、多数のイベント情報が送信される場合には、使用者にとって本当に必要なイベント情報が何処にあるのかを見分けることが難しくなる虞があった。
【０００４】
そこで、このような問題点を鑑み、イベント情報を配信するイベント情報送信装置、およびイベント情報送受信システムにおいて、複数のイベント情報を送信する場合であっても、そのイベント情報を解りやすく使用者に伝えられるようにすることを本発明の目的とする。
【課題を解決するための手段】
【０００５】
かかる目的を達成するためになされた請求項１に記載のイベント情報送信装置は、外部装置との間で通信を行うための通信手段と、イベント内容、イベントが開催されるイベント会場、およびイベントの開催日時の情報を含むイベント情報を複数記憶可能なイベント情報記憶手段と、前記通信手段を介して、イベント情報を検索するための検索条件を含む情報要求信号を受信すると、前記イベント情報記憶手段に記憶された複数のイベント情報の中から前記検索条件に合致したイベント情報を選択する選択手段と、前記選択手段により選択されたイベント情報を前記イベント会場毎にイベントの開催順に整列させた整列データを生成する生成手段と、前記通信手段を介して、前記生成手段により最終的に生成されたデータを前記情報要求信号の送信元の外部装置に対して送信させる第１送信制御手段と、を備えたことを特徴としている。
【０００６】
従って、このようなイベント情報送信装置によれば、イベント情報を会場毎に開催順に整列させた整列データを送信するので、このデータを受けた外部装置では、解りやすく各イベント情報を報知することができる。
【０００７】
また、情報要求信号に応じたイベント情報のみを送信することができる。
次に、請求項１に記載のイベント情報送信装置においては、請求項２に記載のように、通信手段を介して、イベント情報を更新する更新要求信号を受信すると、該更新要求信号の内容に基づいて、イベント情報記憶手段に記憶されたイベント情報を更新する記憶制御手段と、イベント情報記憶手段に記憶されたイベント情報毎にデータの送信先となる外部装置を対応させて記憶する送信先記憶手段と、記憶制御手段によりイベント情報記憶手段に記憶されたイベント情報が更新されると、送信先記憶手段に記憶された外部装置のうち、更新されたイベント情報に対応する外部装置に対して更新されたイベント情報を送信する第２送信制御手段と、を備えていることが望ましい。
【０００８】
このようなイベント情報送信装置によれば、イベント情報が更新されたときにもその更新された情報を送信することができる。このため、例えばイベントが中止や延期になった場合にも、その情報を早期に知らせることができる。
【０００９】
さらに、請求項１または請求項２に記載のイベント情報送信装置において、生成手段は、請求項３に記載のように、整列データとして、画像データを生成することが望ましい。
このようなイベント情報送信装置によれば、第１送信制御手段は、画像データを外部装置に送信するので、外部装置側では受信した画像データを表示するだけでよい。このため、外部装置の構成を簡素化することができる。
【００１０】
加えて、請求項３に記載のイベント情報送信装置において、生成手段は、請求項４に記載のように、互いに交差する座標軸にて形成される仮想平面領域を各座標軸に沿って複数に分割することによりマトリクスを形成し、座標軸のうちの第１座標軸にはイベント会場を表す第１パラメータを関連付けると共に、第２座標軸にはイベントの開催日時を表す第２パラメータを関連付け、さらに、マトリクスを構成する各領域には、イベント内容を夫々配置することにより、各座標軸に関連付けた２種類のパラメータに基づきマトリクスを構成する任意の領域を特定して、該領域に配置されたイベント情報を検索できるように設定された画像データを生成することが望ましい。
【００１１】
このようなイベント情報送信装置によれば、上記のマトリクスを生成することにより、一目でイベント会場およびイベントの開催日時を使用者に伝えることができる。このため、使用者にとってより解りやすくイベント情報を取得可能にすることができる。
【００１２】
次に、上記の目的を達成するためになされた請求項５に記載のイベント情報送信システムは、イベント内容、イベントが開催されるイベント会場、およびイベントの開催日時の情報を含むイベント情報を複数記憶可能なイベント情報記憶手段と、自己を識別するための識別信号を無線送信可能な端末装置毎に、前記識別信号およびこの端末装置の通信用アドレスを対応させて記憶可能な識別記憶手段と、特定のイベント会場内またはその周辺に設けられ、前記端末装置から前記識別信号を受信することにより、前記端末装置が前記イベント会場内またはその周辺の領域を表す特定領域内に位置することを検出する検出手段と、前記検出手段により受信された識別情報、および前記識別記憶手段に記憶された識別信号を照合することにより、前記特定領域内に位置する端末装置を特定する特定手段と、前記特定手段により端末装置が特定されると、前記イベント情報記憶手段に記憶されたイベント情報の中から前記特定領域に対応するイベント会場におけるイベント情報を抽出する抽出手段と、前記抽出手段により選択されたイベント情報を前記イベント会場毎にイベントの開催順に整列させた整列データを生成する生成手段と、前記端末装置との間で無線通信可能な通信手段を介して、前記特定手段により特定された端末装置の通信用アドレスに対して、前記生成手段により最終的に生成されたデータを送信する第３送信制御手段と、を備えたことを特徴としている。
【００１３】
従って、このようなイベント情報送信システムによれば、イベント情報を会場毎に開催順に整列させた整列データを送信するので、このデータを受けた外部装置では、解りやすく各イベント情報を報知することができる。
【００１４】
また、イベント会場近傍の特定領域に位置する者のみにイベント情報を送信するので、無駄な情報を送信することを防止することができる。
なお、請求項１〜請求項５の何れかに記載のイベント情報送信装置は、請求項６に記載のイベント情報送信システムと組み合わせて構成してもよい。
【００１５】
また、請求項１〜請求項５の何れかに記載のイベント情報送信装置は、１つの装置として構成してもよいが、複数の装置に機能を分散したイベント情報送信システムとして構成してもよい。
【発明を実施するための最良の形態】
【００１６】
以下に本発明にかかる実施の形態を図面と共に説明する。
【実施例１】
【００１７】
以下に本発明にかかる実施の形態を図面と共に説明する。
図１は、ホストサーバ１０（本発明でいうイベント情報送信装置）を備えたイベント情報送受信システム１ａの構成を示すブロック図である。
【００１８】
このイベント情報送受信システム１ａにおいては、図１に示すように、インターネット網７に、ホストサーバ１０と、携帯電話事業者の基地局９３と、イベント会場端末３０ａ〜３０ｃと、天気予報サーバ４０とが接続されて構成されている。また、基地局９３は、電話回線網９と通信可能に接続されているとともに、複数の携帯電話機２０（本発明でいう外部装置および端末装置）と無線通信可能に構成されている。なお、ホストサーバ１０およびイベント会場端末３０ａ〜３０ｃは、本発明でいうイベント情報送信システムを構成する。
【００１９】
ホストサーバ１０は、ＣＰＵ、ＲＯＭ、ＲＡＭ等を具備した公知のマイクロコンピュータとして機能する処理部１１と、処理部１１による処理に必要なデータを格納する各データベース（Ｄ．Ｂ．）と、インターネット網７を介して外部と通信するための通信部１５（本発明でいう通信手段）とが備えられている。
【００２０】
データベースとしては、イベント情報データベース１２（本発明でいうイベント情報記憶手段）およびユーザデータベース１４（本発明でいう送信先記憶手段および識別記憶手段）とを備えている。
【００２１】
イベント情報データベース１２は、イベント会場端末３０ａ〜３０ｃから送信されてきたイベント情報を蓄積するために用いられる。
ユーザデータベース１４は、予め設定されたユーザの情報を格納する。このユーザの情報は、必要に応じて更新可能に設定されており、例えば、ユーザ毎に、ユーザ名、ユーザの年齢、性別、居住地、メールアドレス、携帯電話機２０を識別するための識別データ、ユーザの嗜好を表すキーワード、ユーザが登録したイベント会場、等が関連付けて記憶されている。
【００２２】
天気予報サーバ４０は、インターネット網７を介して、場所と時間とを特定した天気用法要求信号を受信すると、その場所と時間とにより決定される予報を天気予報信号の送信元に返信する。
【００２３】
次に、基地局９３と無線通信可能な携帯電話機２０は、この携帯電話機２０を統括制御する制御部２１と、携帯電話機２０のユーザが操作指令を入力するための操作部２２と、制御部２１にて生成された画像を表示させるディスプレイ２３と、基地局９３に対して無線通信を行う通信部２４と、後述する検出部３５ａ〜３５ｃにより送信された電波を受信するとともに、受信した電波に対する応答信号を無線送信する被検出部２５と、を備えている。
【００２４】
被検出部２５は、例えば、公知のＩＣタグ等から構成されており、この被検出部２５内には、携帯電話機２０を識別するための識別データが読み出し可能に記憶されている。そして、被検出部２５は、識別データを要求する信号を受信すると、識別データを無線送信するよう構成されている。
【００２５】
なお、携帯電話機２０は、公知の通話機能、通信機能、および電子メール送受信機能を具備している。
次に、イベント会場端末３０ａは、各イベントが開催される会場に配置されており、このイベント会場端末３０ａの統括制御を行う処理部３１ａと、インターネット網７を介して外部と通信を行うための通信部３２ａと、処理部３１ａに対して指令を外部入力するための操作部３３ａと、このイベント会場において開催されるイベントの内容（イベント情報）を格納するイベント情報データベース３４ａと、を備えている。
【００２６】
また、このイベント会場端末３０ａ（正確には処理部３１ａ）には、このイベント会場内またはこのイベント会場近傍の領域である検出領域３６ａ内に位置する携帯電話機２０を検出する検出部３５ａが接続されている。
【００２７】
この検出部３５ａは、検出領域３６ａ内に電波を送信し、この電波に対する応答信号を受信することにより、携帯電話機２０が位置することを検出する。
ここで、イベント会場端末３０ｂ，３０ｃについては、配置されているイベント会場が異なるのみで、受信機器３０ａとその構成が同様であるため説明を省略する。
【００２８】
なお、イベント会場端末３０ｂ，３０ｃの各検出部３５ｂ，３５ｃは、それぞれのイベント会場端末３０ｂ，３０ｃの近傍に位置する検出領域３６ｂ，３６ｃにおいて携帯電話機２０を検出する。
【００２９】
このようなシステムにおいて、携帯電話機２０は、ユーザが操作部２２を介して特定の指令を入力することにより、ホストサーバ１０に対してイベント情報を要求する情報要求信号を送信する。このように、携帯電話機２０のユーザは、操作部２２を操作することにより、ディスプレイ２３にイベント情報を表示させることができる。このときの処理について、図２を用いて説明する。図２は、ホストサーバ１０の処理部１１が実行するイベント情報送信処理を示すフローチャートである。
【００３０】
なお、Ｓ１１０の処理は本発明でいう選択手段に相当し、Ｓ１３０の処理は本発明でいう生成手段に相当する。また、Ｓ１４０の処理は本発明でいう第１送信制御手段に相当する。
【００３１】
イベント情報送信処理は、ホストサーバ１０が携帯電話機２０からイベント情報を要求する情報要求信号を受けると開始する処理であって、まず、Ｓ１１０にて、受信した情報要求信号の内容に合致したイベント情報をイベント情報データベース１２に格納されたイベント情報から選択する。なお、この処理の間、携帯電話機２０とホストサーバ１０とは、インターネット網７を介して通信可能に接続された状態となっている。
【００３２】
次いで、Ｓ１１５に移行し、選択したイベント情報の内容をユーザデータベース１４に記憶させる。なお、この処理において記憶させた内容は、後述するイベント情報更新処理において画像データを送信する送信先を決定する際（Ｓ２５０）に使用する。
【００３３】
そして、Ｓ１２０に移行し、Ｓ１１０にて選択したイベント情報をイベント会場毎に開催順に整列させる。
即ち、イベント情報データベース１２には、図３（ａ）に示すように、各イベント情報が順不同に格納されており、Ｓ１１０にて所望のイベント情報を選択した後においても、各イベント情報は整列されていない状態であるが、Ｓ１２０の処理にて、これらのイベント情報を整列させるのである。
【００３４】
次いで、Ｓ１２５に移行し、天気予報サーバ４０に対して選択されたイベントが開催される会場の位置とその時刻とを含む天気予報要求信号を送信し、天気予報サーバ４０から予報データを取得する。なお、イベントが屋内にて開催される場合には、天気予報要求信号は送信しない。
【００３５】
そして、Ｓ１３０に移行し、選択したイベント情報および天気予報サーバ４０から受信した予報データに基づいて、イベントスケジュール表の画像データを作成する。この画像データは、例えば、図３（ｂ）に示すように、縦軸にイベントの開催日時、縦軸にイベント会場を配置し、これらにより特定される各領域にイベント情報を配置したマトリクス状のものとされている。
【００３６】
ここで、画像データに含まれるイベント情報は、携帯電話機２０におけるアプリケーションにおいて選択可能に設定されており、特定のイベント情報を選択すると、そのイベント情報の詳細や、そのイベントについてのアンケートを入力できるように構成されている。
【００３７】
即ち、画像データを生成する際に、イベント情報の詳細や、アンケートの入力画面を関連付けている。
また、屋外にて開催されるイベントについては、図３（ｂ）に示すように、各イベント情報が記載されている欄毎に、天気予報サーバ４０から受信した予報データに基づく画像が表示されている。
【００３８】
さらに、イベント会場名が記載された欄には、各イベント会場までの経路を記した地図を表示させるためのボタンが配置されており、ユーザによりこれらのボタンが選択されると、地図を表示するよう設定されている。
【００３９】
即ち、各ボタンには、地図を表示させるためのリンク先が登録されており、携帯電話機２０のディスプレイ２３上にて、各ボタンが選択されると、携帯電話機２０は、対応するリンク先と接続し、表示を切り替えるよう構成されている。
【００４０】
次いで、Ｓ１４０に移行し、この画像データを情報要求信号の送信元に送信し、イベント情報送信処理を終了する。
次に、ホストサーバ１０のイベント情報データベース１２に格納されているイベント情報を書き換える際の処理について、図４を用いて説明する。図４はホストサーバ１０の処理部１１が実行するイベント情報更新処理を示すフローチャートである。
【００４１】
なお、Ｓ２１０の処理は本発明でいう記憶制御手段に相当し、Ｓ２５０の処理は本発明でいう第２送信制御手段に相当する。
このイベント情報更新処理は、イベント会場端末３０ａ〜３０ｃからインターネット網７を介して、イベント情報を更新する更新要求信号を受信すると開始される処理である。
【００４２】
つまり、イベント情報データベース１２に記憶させるイベント情報を新たに追加するときや、天候や交通事情等の都合によりイベントが中止や延期になったとき等のイベント情報を更新するときに開始される。
【００４３】
この処理が開始されると、まず、Ｓ２１０にて、更新要求信号の内容に基づいて、イベント情報データベース１２の内容を書き換える。
そして、Ｓ２２０に移行し、書き換えたイベント情報を選択し、Ｓ２３０に移行する。
【００４４】
次いで、Ｓ２３０では、選択されたイベント情報を開催順に整列させる。
そして、Ｓ２４０に移行し、イベントスケジュール表の画像データを生成する。
さらに、Ｓ２５０に移行し、書き換えられたイベント情報に関連付けてユーザデータベース１４に登録された通信相手を抽出し、この通信相手に生成した画像データを送信する。
【００４５】
ここで、Ｓ２２０〜Ｓ２４０の処理は、イベント情報送信処理のＳ１１０〜Ｓ１３０の処理と類似する処理であるため、説明を省略する。
次に、携帯電話機２０が検出領域３６ａ〜３６ｃに位置するときにその検出領域に対応するイベント情報を送信する処理について、図５を用いて説明する。図５はホストサーバ１０の処理部１１が実行するリアルタイム送信処理を示すフローチャートである。
【００４６】
なお、Ｓ３１０〜Ｓ３３０の処理は本発明でいう特定手段に相当し、Ｓ３５０の処理は本発明でいう抽出手段に相当する。また、Ｓ３７０の処理は本発明でいう第３送信制御手段に相当する。
【００４７】
このリアルタイム送信処理は、イベント会場端末３０ａ〜３０ｃに接続された検出部３５ａ〜３５ｃにより携帯電話機２０が検出され、イベント会場端末３０ａ〜３０ｃがホストサーバ１０に対して携帯電話機２０の識別データを送信し、ホストサーバ１０がこの識別データを受信したときに開始される処理である。
【００４８】
このリアルタイム送信処理は、まず、Ｓ３１０にて、受信した識別データと、ユーザデータベース１４に格納された識別データとを照合する。
そして、Ｓ３２０に移行し、これらの識別データが照合できたか否か、つまり、受信した識別データがユーザデータベース１４に格納されているか否かを判定する。これらの識別データの照合に成功すればＳ３３０に移行し、これらの識別データの照合に失敗すれば、このリアルタイム送信処理を終了する。
【００４９】
次いで、Ｓ３３０では、照合した識別データに対応する携帯電話機２０を、イベント情報の送信相手として処理部１１内のＲＡＭに記憶させる。
そして、Ｓ３４０に移行し、携帯電話機２０の識別データを送信したイベント会場端末３０ａ〜３０ｃに基づいて、携帯電話機２０近傍のイベント会場を特定し、Ｓ３５０に移行する。
【００５０】
次いで、Ｓ３５０では、特定したイベント会場において、現在開催中のイベント関するイベント情報を選択する。
そして、Ｓ３６０に移行し、このイベント情報を表す画像データを生成する。
【００５１】
なお、ここでは、１つのイベント情報のみしか選択されないため、イベント情報を整列する処理は行っていない。また、複数のイベント情報が選択された場合には、Ｓ３５０とＳ３６０との間において、イベント情報を整列させる処理（Ｓ１２０相当）を行えばよい（本発明でいう生成手段に相当する）。
【００５２】
次いで、Ｓ３７０では、画像データをＳ３３０にて特定された携帯電話機２０に送信し、リアルタイム送信処理を終了する。
以上のように詳述したイベント情報送受信システム１ａは、外部指令を受信するとともに、外部指令に対する応答を携帯電話機２０に対して送信するための通信部１５と、イベント内容、イベントが開催されるイベント会場、およびイベントの開催日時の情報を含むイベント情報を複数記憶可能なイベント情報データベース１２と、を備えている。そして、ホストサーバ１０は、通信部１５を介して、イベント情報を検索するための検索条件を含む情報要求信号を受信すると、イベント情報送信処理を実行し、イベント情報データベース１２に記憶された複数のイベント情報の中から検索条件に合致したイベント情報を選択し、選択されたイベント情報をイベント会場毎にイベントの開催順に整列させた整列データを生成し、通信部１５を介して、生成されたデータを情報要求信号の送信元の携帯電話機２０に対して送信させる。
【００５３】
従って、このようなイベント情報送受信システム１ａによれば、イベント情報を会場毎に開催順に整列させた整列データを送信するので、このデータを受けた携帯電話機２０では、解りやすく各イベント情報を報知することができる。
【００５４】
また、情報要求信号に応じたイベント情報のみを送信することができる。
次に、ホストサーバ１０においては、イベント情報データベース１２に記憶されたイベント情報毎にデータの送信先となる携帯電話機２０を対応させて記憶するユーザデータベース１４を備えている。そして、ホストサーバ１０は、通信部１５を介して、イベント情報を更新する更新要求信号を受信すると、イベント情報更新処理を開始し、この更新要求信号の内容に基づいて、イベント情報データベース１２に記憶されたイベント情報を更新し、イベント情報データベース１２に記憶されたイベント情報が更新されると、ユーザデータベース１４に記憶された携帯電話機２０のうち、更新されたイベント情報に対応する携帯電話機２０に対して更新されたイベント情報を送信する。
【００５５】
従って、このようなイベント情報送受信システム１ａによれば、イベント情報が更新されたときにも、その更新された情報を送信することができる。このため、例えばイベントが中止や延期になった場合にも、その情報を早期に知らせることができる。
【００５６】
さらに、ホストサーバ１０は、イベント情報送信処理において、生成した整列データを、画像データに変換する。
従って、このようなイベント情報送受信システム１ａによれば、ホストサーバ１０は、画像データを携帯電話機２０に送信するので、携帯電話機２０側では受信した画像データを表示するだけでよい。このため、携帯電話機２０の構成を簡素化することができる。
【００５７】
加えて、ホストサーバ１０においては、イベント情報送信処理において、互いに交差する座標軸にて形成される仮想平面領域を各座標軸に沿って複数に分割することによりマトリクスを形成し、座標軸のうちの第１座標軸にはイベント会場を表す第１パラメータを関連付けると共に、第２座標軸にはイベントの開催日時を表す第２パラメータを関連付け、さらに、マトリクスを構成する各領域には、イベント内容を夫々配置することにより、各座標軸に関連付けた２種類のパラメータに基づきマトリクスを構成する任意の領域を特定して、該領域に配置されたイベント情報を検索できるように設定された画像データを生成する。
【００５８】
従って、このようなイベント情報送受信システム１ａによれば、上記のマトリクスを生成することにより、一目でイベント会場およびイベントの開催日時を使用者に伝えることができる。このため、使用者にとってより解りやすくイベント情報を取得可能にすることができる。
【００５９】
さらに、イベント情報送受信システム１ａにおいて、ユーザデータベース１４は、自己を識別するための識別信号を無線送信可能な携帯電話機２０毎に、識別信号およびこの携帯電話機２０の通信用アドレスを対応させて記憶している。そして、このシステム１ａにおいては、特定のイベント会場内またはその周辺に設けられ、自己を識別するための識別信号を無線送信可能な携帯電話機２０から識別信号を受信することにより、携帯電話機２０がイベント会場内またはその周辺の領域を表す特定領域内に位置することを検出する検出部３５ａ〜３５ｃを備えている。さらに、このシステム１ａは、リアルタイム送信処理において、検出部３５ａ〜３５ｃにより受信された識別情報、およびユーザデータベース１４に記憶された識別信号を照合することにより、特定領域内に位置する携帯電話機２０を特定し、携帯電話機２０が特定されると、イベント情報データベース１２に記憶されたイベント情報の中から特定領域に対応するイベント会場におけるイベント情報を抽出する。さらに、抽出されたイベント情報をイベント会場毎にイベントの開催順に整列させた整列データを生成し、携帯電話機２０との間で無線通信可能な通信部１５を介して、特定された携帯電話機２０の通信用アドレスに対して  生成されたデータを送信する。
【００６０】
従って、このようなイベント情報送受信システム１ａによれば、イベント情報を会場毎に開催順に整列させた整列データを送信するので、このデータを受けた携帯電話機２０では、解りやすく各イベント情報を報知することができる。
【００６１】
また、イベント会場近傍の特定領域に位置する者のみにイベント情報を送信するので、無駄な情報を送信することを防止することができる。
なお、本発明の実施の形態は、上記の実施形態に何ら限定されることはなく、本発明の技術的範囲に属する限り種々の形態を採りうる。
【００６２】
例えば、実施例１においては、イベント情報送信処理の間、携帯電話機２０とホストサーバ１０とは常時通信可能に接続しておくよう構成したが、特にこのようにする必要はない。ただし、常時接続するようにしない場合は、Ｓ１４０の処理の際には、情報要求信号の送信元に画像データを送信する必要があるため、携帯電話機２０は、情報要求信号とともにこの情報要求信号の送信元を特定するための識別信号を送信しておく必要がある。
【００６３】
また、実施例１におけるＳ３５０の処理では、現在開催中のイベントに関するイベント情報のみを選択するよう構成したが、このイベントに関連するイベント情報を選択するようにしてもよい。この場合には、Ｓ３５０の処理のあとに、選択したイベント情報を整列させる処理（Ｓ１２０の処理に相当する処理）を行うようにすればよい。
【００６４】
さらに、ホストサーバ１０は、画像を生成する際に、天気予報サーバ４０から取得した情報を直接使用したが、一旦イベント情報データベース１２に格納された情報を使用してもよい。この場合には、天気予報サーバ４０が定期的にホストサーバ１０の情報を書き換えるよう構成すればよい（記憶制御手段）。
【００６５】
また、本発明でいうイベント情報としては、イベント内容、イベント会場、開催日時の情報の他に、本実施例の予報データや、イベント会場周辺の交通情報等のイベント会場が属する地域の情報が含まれていてもよい。このように、イベント情報に地域の情報が含まれていれば、このシステムの使用者がイベント会場を訪れやすくすることができる。
【実施例２】
【００６６】
次に、別形態のイベント情報送受信システム１ｂについて説明する。本実施例（実施例２）にて説明するイベント情報送受信システム１ｂは、イベント情報送信処理における処理の流れが異なるのみであって、その他の構成は実施例１のイベント情報送受信システム１ａと同様の構成である。従って、本実施例（実施例２）では、実施例１のイベント情報送受信システム１ａと異なる箇所のみを詳述し、実施例１のイベント情報送受信システム１ａと同様の箇所については、同一の符号を付して説明を省略する。
【００６７】
図６（ａ）は、本実施例におけるイベント情報送信処理を示すフローチャートである。なお、この処理は、実施例１のイベント情報送信処理と同様に、ホストサーバ１０の処理部１１により実行される。
【００６８】
図６（ａ）に示すイベント情報送信処理は、Ｓ１１０〜Ｓ１２５において、図２に示す実施例１の処理と同様の処理を行い、Ｓ１２０の処理を終了すると、Ｓ５１０に移行する。
【００６９】
そして、Ｓ５１０では、Ｓ１２０にて整列させたデータおよびＳ１２５にて取得した予報データを情報要求信号の送信元の携帯電話機２０に送信し、イベント情報送信処理を終了する。
【００７０】
即ち、本実施例のイベント情報送信処理においては、画像データを生成する前段階のデータである整列データを送信するよう構成されている。このため、図６（ｂ）に示すイベント情報受信処理において、画像データを生成することになる。ここで、図６（ｂ）は、情報要求信号の送信元の携帯電話機２０の制御部２１が実行するイベント情報受信処理を示すフローチャートである。
【００７１】
このイベント情報受信処理は、携帯電話機２０がホストサーバ１０からの整列データを受信完了すると開始され、まず、Ｓ６１０にて、受信したデータに基づいて、画像データを生成する。この処理は、図２におけるＳ１３０の処理と同様である。
【００７２】
そして、Ｓ６２０に移行し、この画像データをディスプレイ２３に表示させ、イベント情報受信処理を終了する。
このようなイベント情報送受信システム１ｂにおいても、実施例１のイベント情報送受信システム１ａと同様の効果が得られる。
【００７３】
なお、イベント情報更新処理およびリアルタイム送信処理においても、本実施例のイベント情報送信処理、およびイベント情報受信処理のように、携帯電話機２０側で画像データを生成するように構成してもよい。
【００７４】
また、イベント情報更新処理のＳ２１０の処理において、イベント情報データベース１２内のイベント情報を更新する際に、このデータベース１２に格納されるイベント情報をイベント会場毎、およびその開催順に整列させたデータを生成し、この整列データをイベント情報データベース１２に格納するよう構成してもよい。この場合には、Ｓ１２０およびＳ２３０の処理は不要になる。
【００７５】
さらに、Ｓ２１０の処理の際に、整列データを画像化した画像データをイベント情報データベース１２に格納するよう構成してもよい。この場合には、Ｓ１３０、Ｓ２５０、およびＳ６１０の処理は不要となる。
【図面の簡単な説明】
【００７６】
【図１】イベント情報送受信システム１ａの構成を示すブロック図である。
【図２】実施例１のイベント情報送信処理を示すフローチャートである。
【図３】イベント情報データベース１２の内容を示す具体例（ａ）、および縦軸にイベントの開催日時、縦軸にイベント会場を配置したマトリクスを示す説明図（ｂ）である。
【図４】イベント情報更新処理を示すフローチャートである。
【図５】リアルタイム送信処理を示すフローチャートである。
【図６】イベント情報送信処理を示すフローチャートである。
【符号の説明】
【００７７】
１ａ，１ｂ…イベント情報送受信システム、７…インターネット網、９…電話回線網、１０…ホストサーバ、１１…処理部、１２…イベント情報データベース、１４…ユーザデータベース、１５…通信部、２０…携帯電話機、２１…制御部、２２…操作部、２３…ディスプレイ、２４…通信部、２５…被検出部、３０ａ…イベント会場端末、３０ａ〜３０ｃ…イベント会場端末、３１ａ〜３１ｃ…処理部、３２ａ〜３２ｃ…通信部、３３ａ〜３３ｃ…操作部、３４ａ〜３４ｃ…イベント情報データベース、３５ａ〜３５ｃ…検出部、３６ａ〜３６ｃ…検出領域、４０…天気予報サーバ、９３…基地局。
【図１】
2006323658.tif 000003
【図２】
2006323658.tif 000004
【図３】
2006323658.tif 000005
【図４】
2006323658.tif 000006
【図５】
2006323658.tif 000007
【図６】
2006323658.tif 000008